(57)【要約】【課題】魚釣用の両軸受けリールにおいて、ドラグレバー６をドラグフリー状態にしたときには軸受けの転がり抵抗を低減して素早い糸の繰出しができ、ドラグ効き状態にしたときには確実な軸受けができるようにする。【解決手段】スプール４を軸支する軸受けを、ドラグ状態に関係なくスプール４をスプール軸１０に軸支する第一軸受け１６と、スプール軸１０の軸芯方向の移動でスプール４を軸支する状態と軸支しない状態とに切換えられる第二の軸受け１７とで構成し、ドラグレバー６を、ドラグ力を付与したドラグ効き状態にしたときには第二の軸受け１７が軸支する状態になるが、ドラグ力を解除したドラグフリー状態にしたときには第二の軸受け１７は軸支しない状態になるように構成する。【選択図】図１
2008212053.tif 000002
【特許請求の範囲】
【請求項１】
左右に設けられるサイドケースに軸支されるスプール軸と、該スプール軸を回転するためのハンドルと、前記スプール軸に軸受けを介して回転自在に軸支されるスプールと、スプールのスプール軸に対する軸芯方向の相対移動でスプールにドラグ力を付与するためのドラグ力付与手段と、該ドラグ力付与手段のドラグ力を調整するためのドラグ力調整手段とを備えて構成される魚釣用の両軸受けリールにおいて、
前記軸受けは、スプールを常時軸支する第一の軸受けと、前記軸芯方向の相対移動でスプールを軸支する状態と軸支しない状態とに切換えられる第二の軸受けとから構成され、
前記ドラグ力調整手段とスプール軸とは、ドラグ力を付与したドラグ効き状態にしたときには第二の軸受けが軸支する状態になるが、ドラグ力を解除したドラグフリー状態にしたときには第二の軸受けは軸支しない状態になるよう連動連結してあることを特徴とする魚釣用の両軸受リール。
【請求項２】
第二の軸受けは、第一の軸受けよりも大径であることを特徴とする請求項１記載の魚釣用の両軸受リール。
【請求項３】
第二軸受けは、スプール軸に設けられ、ドラグ力を付与したドラグ効き状態にしたときにはスプールに接触して軸支する状態になるが、ドラグ力を解除したドラグフリー状態にしたときにはスプールから離間して軸支しない状態になるよう構成されていることを特徴とする請求項１または２記載の魚釣用の両軸受リール。
【請求項４】
第二軸受けは、スプールに設けられ、ドラグ力を付与したドラグ効き状態にしたときにはスプール軸に接触して軸支する状態になるが、ドラグ力を解除したドラグフリー状態にしたときにはスプール軸から離間して軸支しない状態になるよう構成されていることを特徴とする請求項１または２記載の魚釣用の両軸受リール。
【発明の詳細な説明】
【技術分野】
【０００１】
本発明は、海や川等において魚釣りをするために用いる魚釣用の両軸受リールの技術分野に属するものである。
【背景技術】
【０００２】
一般に、この種、両軸受けリールのなかには、実釣り時に釣れた魚の引張り力（負荷）がドラグ力より大きい場合、糸を巻上げていない時は勿論、糸巻上げ時であっても該引張り力を受けてスプールが糸（道糸、ライン）を引き出す（繰出す）方向に回転させ、これによって、該スプールに巻装している糸が出て行くようにした所謂ドラグ機構付きのものがある。このような両軸受けリールにおいては、仕掛けを投入する場合、ドラグ力を解除したドラグフリーな状態にしてスプールを糸繰出し方向に回転させ、これによって仕掛けを投入するようにしている（例えば特許文献１、２）。
【特許文献１】特開平９−１２１７２９号公報
【特許文献２】特開２００２−３３５８３５号公報
【発明の開示】
【発明が解決しようとする課題】
【０００３】
ところでこのような両軸受けリールにおいて、スプールはスプール軸に軸受けを介して回転自在に軸支されている一方、ドラグ力は、スプール側に摩擦板を設ける一方、ケーシング側にドラグディスクを設け、ドラグ力調整手段の操作に伴うスプール軸のスプールに対する相対移動に伴う摩擦板とドラグディスクとの面接触による摩擦抵抗によって発生する。そしてこの場合に、ドラグ力を付与したドラグ効き状態では、スプールとドラグディスクとは互いに大きな力で押圧された接触状態になっているため、前記軸受け（通常ボールベアリング）の内輪と外輪とは互いに反対方向に大きな力が働くことになる。このため軸受けとしては、この大きな力に耐える必要があると同時に、巻き上げ抵抗を低減する必要性があり、そこで大型の両軸受けリールになるほど大口径あるいは多数の軸受けが用いられている。
ところで仕掛け投入時においてドラグ力を解除（摩擦板とドラグディスクとの面接触を解除）してスプールをスプール軸に対して自由回転するドラグフリー状態にした場合、スプールは軸受け自体が持つ転がり抵抗に抗して糸繰出し方向に回転することになるが、軸受けは、口径が大きいほどまたは軸受け数が多いほど転がり抵抗が大きく、このため両軸受けリールは、大型になるほどスプールのフリーな回転に制動が働くことになって糸の繰出し速度が遅くなるという問題があり、ここに本発明が解決せんとする課題がある。
【課題を解決するための手段】
【０００４】
本発明は、上記の如き実情に鑑みこれらの課題を解決することを目的として創作されたものであって、請求項１の発明は、左右に設けられるサイドケースに軸支されるスプール軸と、該スプール軸を回転するためのハンドルと、前記スプール軸に軸受けを介して回転自在に軸支されるスプールと、スプールのスプール軸に対する軸芯方向の相対移動でスプールにドラグ力を付与するためのドラグ力付与手段と、該ドラグ力付与手段のドラグ力を調整するためのドラグ力調整手段とを備えて構成される魚釣用の両軸受けリールにおいて、前記軸受けは、スプールを常時軸支する第一の軸受けと、前記軸芯方向の相対移動でスプールを軸支する状態と軸支しない状態とに切換えられる第二の軸受けとから構成され、前記ドラグ力調整手段とスプール軸とは、ドラグ力を付与したドラグ効き状態にしたときには第二の軸受けが軸支する状態になるが、ドラグ力を解除したドラグフリー状態にしたときには第二の軸受けは軸支しない状態になるよう連動連結してあることを特徴とする魚釣用の両軸受リールである。
請求項２の発明は、第二の軸受けは、第一の軸受けよりも大径であることを特徴とする請求項１記載の魚釣用の両軸受リールである。
請求項３の発明は、第二軸受けは、スプール軸に設けられ、ドラグ力を付与したドラグ効き状態にしたときにはスプールに接触して軸支する状態になるが、ドラグ力を解除したドラグフリー状態にしたときにはスプールから離間して軸支しない状態になるよう構成されていることを特徴とする請求項１または２記載の魚釣用の両軸受リールである。
請求項４の発明は、第二軸受けは、スプールに設けられ、ドラグ力を付与したドラグ効き状態にしたときにはスプール軸に接触して軸支する状態になるが、ドラグ力を解除したドラグフリー状態にしたときにはスプール軸から離間して軸支しない状態になるよう構成されていることを特徴とする請求項１または２記載の魚釣用の両軸受リールである。
【発明の効果】
【０００５】
請求項１の発明とすることで、ドラグ力を付与したドラグ効き状態にしたときには、第一の軸受けに加えて第二の軸受けがスプールを軸支する状態になり、これによって、軸受け数が増加して大きな力に耐えることができながら、ドラグ力を解除したドラグフリー状態にしたときには第二の軸受けによる軸支はなく、第一の軸受けによる少ない軸支状態になって軸受けによる転がり抵抗が低減し、糸の繰出し速度に制動が働いてしまうことを防止できて素早い仕掛けの投入ができることになる。
請求項２の発明とすることにより、ドラグ効き状態にしたとき大径の軸受けによる確りとしたドラグ力を発揮できることになる。
請求項３または４の発明とすることにより、第二の軸受けがスプールを軸支する状態と軸支しない状態とに切換えることを簡単に構成できることになる。
【発明を実施するための最良の形態】
【０００６】
次ぎに、本発明の第一の実施の形態について図１、２に基づいて説明する。図面において、１は両軸受け用リールのリール本体であって、該リール本体１は、左右のサイドケース２、３、該サイドケース２、３に回転自在に設けられる糸巻き用のスプール４、一方のサイドケース（本実施の形態では右側であって、以降、左右についてこのように便宜上の定義づけをするが、これに限定されるものではないことは勿論である。）３に設けられるハンドル５、ドラグ調整用のドラグレバー６等の各種部材装置を用いて構成されている。
【０００７】
前記左右のサイドケース２、３は架橋フレーム７によって一体化されているが、右側サイドケース３には、ハンドル軸８が軸受け８ａを介して回動自在に軸支され、ハンドル軸８には、右側サイドケース３から突出した部位に前記ハンドル５が一体的に取付けられ、右側サイドケース３内において大径の駆動ギア９が一体的に取付けられ、ハンドル５を回転操作することに連動してハンドル軸８および駆動ギア９が一体回転するようになっている。
【０００８】
一方、１０はスプール軸であって、該スプール軸１０は軸受け１０ａ、１０ｂを介して左右のサイドケース２、３にそれぞれ回動自在でかつ軸芯方向（左右方向）移動自在に軸支されている。スプール軸１０には、右側サイドケース３に内装される状態で前記駆動ギア９に噛合する小径の従動ギア１１がスプール軸１０と一体回動するよう設けられており、前述したハンドル５の操作に連動する駆動ギア９の回動に基づいて従動ギア１１およびスプール軸１０が一体回動するようになっている。
【０００９】
前記ドラグレバー６の基端部に形成のボス筒部６ａの筒底部６ｂが右側サイドケース３から右方に向けて突出形成のボス部３ａの外周面に外嵌し前記スプール軸１０の軸芯回りに揺動自在に軸支されているが、ボス筒部６ａの内周面にはピン１２が設けられているが、該ピン１２は、支持部材１３によってドラグレバー６とは一体となってスプール軸１０の軸芯回りに揺動するが、左右方向には支持部材１３と共に移動自在に設けられ、該支持部材１３はさらにスプール軸１０に軸受け１４ａを介して回動自在に支持された受け部材１４に一体的に支持されている。
【００１０】
また、前記ボス部３ａの外周面には、ピン１２と筒底部６ｂとのあいだに位置していて、ドラグレバー６の軸芯方向（左右方向）の移動は規制するようにしてカム１５が一体的に設けられているが、該カム１５のカム面１５ａは、スプール軸１０の軸心方向に出没する構成になっており、該カム面１５ａにピン１２が当接（摺接）している。そして、ドラグレバー６を揺動操作することに伴いピン１２がカム面１５ａに沿って移動することなるが、これによって該ピン１２、支持部材１３および受け部材１４は、ドラグレバー６に対して軸回り方向には一体回動するが、軸芯方向にはカム面１５ａに倣う状態で移動することになり、これに伴いスプール軸１０を軸心方向に移動できるようになっている。
【００１１】
前記スプール４は、複数（本実施の形態では３個）の第一軸受け１６を介してスプール軸１０に軸芯方向移動自在でかつ回動自在に軸支されているが、さらにスプール４の左側サイドケース２側部位には第二の軸受け１７の内輪１７ａが軸芯方向移動自在の状態で組込まれており、該内輪１７ａは、左側サイドケース２内において、スプール軸１０に対して軸芯方向移動自在に設けたブラケット１８が当接し、該ブラケット１８は、筒底部がスプール軸１０に対して固定された筒状部材１９の内周面に軸芯方向移動自在に摺接している。尚、２０はスプール軸１０用の復帰弾機、２１は第二軸受け１７用の復帰弾機、２２はスプール４用の復帰弾機である。また、第二軸受け１７は第一軸受け１６よりも大径のものになっている。
【００１２】
そして前述したようにドラグレバー６をドラグ解除側、つまりフリー側に操作した場合、ピン１２は、カム面１５ａの最も没入したフリー位置１５ｂに位置し、これによってスプール軸１０は復帰弾機２０の復帰力を受けることになって図１の上半状態の位置、つまり左端に移動することになり、この状態では、スプール４の右側外面に設けた摩擦板２３と右側サイドケース３側に設けたドラグディスク２４とが離間すると共に、第二軸受け１７の外輪１７ｂはスプール４に設けた作用部４ａから離間していて軸受け機能を発揮できない状態になり、これによってスプール４は、ドラグ力が解除されたドラグフリー状態では、第一軸受け１６による軸受け支持作用でのみ回転するようになっている（図１、３の上半部の状態）。
【００１３】
これに対し、ドラグレバー６をドラグ効き側に操作していくと、図１、３下半部に示すように、カム面１５ａに当接するピン１２がカム面１５ａに沿って左側に移動し、これによってスプール軸１０は右側に移動していくが、このとき前記スプール軸１０と一体になった筒状部材１９が弾機２０に抗する状態でブラケット１８を右方に弾圧し、これによってブラケット１８は第二軸受け１７の内輪１７ａを右方に強制移動させ、これによって大径軸受け１７の外輪１７ｂがスプール４に段差状に形成の作用部４ａに当接する。そしてスプール４は、スプール軸１０に対してこの第二軸受け１７によって軸受け支持される状態で右側に移動し、前記摩擦板２３とドラグディスク２４とが当接することになってドラグレバー６の操作量に対応したドラグ力が発生するようになっている。つまりドラグレバー６を効き側に操作してドラグ力が発生しているときにおいて、ドラグ力よりも大きい負荷が働いた場合、スプール４はスプール軸１０に対して第一軸受け１６および第二軸受け１７による軸受け支持作用を受けて糸繰出し方向に回転するようになっている。
【００１４】
叙述の如く構成された本発明の第一の実施の形態において、ドラグレバー６を操作してドラグ力を解除したドラグフリー状態にすると、スプール軸１０に設けられる第二軸受け１７はスプール４から離間していてスプール４を軸支する軸受けとしては機能しない状態になっているため、糸をスプール４から繰出す場合に、該第二軸受け１７による転がり抵抗が働いてしまうことがなく、スプール４を軸支している第一軸受け１６の転がり抵抗だけが働くことになる結果、糸繰出し時の転がり抵抗が低減し、素早い糸の繰出しができることになる。
【００１５】
これに対し、ドラグレバー６を操作してドラグ力を付与したドラグ効き状態にした場合、スプール軸１０がスプール４に対して右方向に移動する相対移動をすることになるが、このとき第二軸受け１７も右方向に移動し、これによって外輪１７ｂにスプール４が接触して第二軸受け１７は軸支状態になる。この結果、ドラグ効き状態では、第一軸受け１６に加えて第二軸受け１７による軸支が受けられることになって軸受け数が増加し、このため巻き上げ抵抗が各軸受け１６、１７に分散されることになって低減すると共に大きな力に耐えるものにできる。
しかもこのものでは、第二軸受け１７は第一軸受け１６よりも大径になっているため、より巻き上げ抵抗を低減することと大きな力に耐えるものに寄与できることになる。
【００１６】
尚、前記第一の実施の形態のものは、第二軸受け１７がスプール軸１０に設けられ、ドラグ力を付与したドラグ効き状態にしたときには第二軸受け１７がスプール４に接触して軸支する状態になるが、ドラグ力を解除したドラグフリー状態にしたときには第二軸受け１７からスプール４が離間して軸支しない状態になるよう構成したものであるが、これとは逆に、第二軸受けがスプールに設けられ、ドラグ力を付与したドラグ効き状態にしたときにはスプール軸に接触して軸支する状態になるが、ドラグ力を解除したドラグフリー状態にしたときにはスプール軸から離間して軸支しない状態になるよう構成することができ、このものについて、図４、５に示す第二の実施の形態を説明する。尚、第二の実施の形態において、第一の実施の形態と同じものについては同じ符号を付すと共に、その詳細についての説明を省略する。
【００１７】
２５は第二の実施の形態のスプール軸であって、該スプール軸２５は、第一の実施の形態と場合と同様、ドラグレバー６の操作によって軸心方向に移動するようになっている。一方、スプール２６には、その左右両端部に軸受け２７、２８が設けられるが、軸受け２７が第一の軸受け、軸受け２８が第二の軸受けとなっている。つまり両軸受け２７、２８は、スプール２６の筒状部２６ａ内面に組込まれている。一方、前記スプール軸２５の外周面には切欠き２５ａが形成されており、そしてドラグレバー６をドラグフリー状態に操作した場合には、図３上半部に示すように切欠き２５ａが第二軸受け２８の内輪２８ａ位置に移動し、これによって第二軸受け２８はスプール軸２５から離間（干渉しない）することになってスプール２６の軸支をしない状態になっている。これに対し、ドラグレバー６をドラグ力が発揮されるドラグ効き状態に操作することに伴い、スプール軸２５が右方に移動すると、切欠き２５ａも右方に位置ずれし、これによって第二軸受け２８の内輪２８ａには、スプール軸２５の切欠き２５ａがない部位が移動してくることになって、第二軸受け２８によるスプール２６の軸受け軸支がなされることになる。
【００１８】
このように第二の実施の形態のものは、ドラグフリー状態にしたときには第一軸受け２７のみによるスプール２６の軸支がなされるため、軸受けの数が少なくなって糸繰出し時の転がり抵抗が小さく、素早い糸の繰出しができることになるが、ドラグ効き状態にしたときには、第一軸受け２７に加えて第二軸受け２８もスプール２６を軸支する軸受けとして機能することになって軸受け数が増加する。この結果、ドラグ効き状態にしたときには、軸受け数が増加することになって巻き上げ抵抗が低減すると共に大きな力に耐えるものにできる。
【図面の簡単な説明】
【００１９】
【図１】第一の実施の形態を示す両軸受けリールのドラグフリー状態とドラグ効き状態としたときを示す断面図である。
【図２】カム機構を説明する説明図である。
【図３】要部の拡大断面図である。
【図４】第二の実施の形態を示す両軸受けリールのドラグフリー状態とドラグ効き状態としたときを示す断面図である。
【図５】要部の拡大断面図である。
【符号の説明】
【００２０】
１    リール本体
２、３  サイドカバー
４    スプール
５    ハンドル
６    ドラグレバー
１０    スプール軸
１６    第一軸受け
１７    第二軸受け
【図１】
2008212053.tif 000003
【図２】
2008212053.tif 000004
【図３】
2008212053.tif 000005
【図４】
2008212053.tif 000006
【図５】
2008212053.tif 000007